(57)【特許請求の範囲】
【請求項１】
給水管と給湯管に接続された熱交換器と、前記熱交換器を加熱する加熱手段と、前記加熱手段の加熱量を調節する加熱調節手段と、前記熱交換器の途中の湯の温度を検出する途中温度検出手段と、前記熱交換器の出口の温度を検出する出口温度検出手段と、熱交換器を経た湯の温度を設定する湯温設定手段と、前記熱交換器への水の流動を検出する流動検出手段と、水の流動を前記流動検出手段で検出している時は前記湯温設定手段の温度に従って前記加熱調節手段を制御するとともに、前記流動検出手段で水の流動を検出していない時は前記途中温度検出手段で検出される温度が所定温度以下になったら所定時間前記加熱手段を動作させて前記熱交換器の加熱を行なうタイマー手段とを具備し、前記タイマー手段による前記加熱手段の動作継続時間は、前回の給湯温度、リモコンによる設定温度の少なくとも一つの温度、および前記熱交換器へ至る給水温度条件によって補正するようにした給湯装置。
【請求項２】
途中温度検出手段で検出される温度が不安全温度として予め設定した上限温度に達したら加熱手段による熱交換器の加熱を強制的に停止するようにした請求項１記載の給湯装置。
【請求項３】
途中温度検出手段で検出される温度変化が不安全温度勾配として予め設定した勾配を越えたら加熱手段による熱交換器の加熱を強制的に停止するようにした請求項１記載の給湯装置。
【請求項４】
途中温度検出手段は、加熱手段近傍の熱交換器のパイプに取り付けた請求項１記載の給湯装置。
【発明の詳細な説明】
【０００１】
【発明の属する技術分野】
本発明は、給湯の開始時に早く湯を供給することのできる瞬間式の給湯装置に関するものである。
【０００２】
【従来の技術】
従来、この種の給湯装置には、図４に示すようなものがあった（例えば特公平４−９９７２号公報）。
【０００３】
同図において、１は瞬間給湯機であり、給湯口２と瞬間給湯機１は給湯管３で結ばれている。給湯口２の手前には給湯弁４が設けられており、給湯管３の給湯弁４の上流側から排水管５が分岐しており、この排水管５には排水弁６が設けられている。
【０００４】
また、排水管５の給湯管３からの分岐部には温度検出部７が設けられていて、温度設定器８の設定温度とこの温度検出部７の温度を比較して給湯制御部９が給湯弁４と排水弁６を制御している。
【０００５】
そして、給湯要求時に温度検出部７により検出された湯水の温度が温度設定器８の設定温度の許容範囲内の場合、給湯弁４を開き給湯口２に給湯管３内の湯水を供給するとともに、許容範囲外の場合、排水弁６を開き給湯管３内の湯水を排水管５を経て排水口から捨て、常に許容範囲内の温度の湯水を給湯口２から供給するというものである。
【０００６】
【発明が解決しようとする課題】
しかしながら、上記したような従来の給湯装置では、給湯弁４、排水管５、排水弁６、温度検出部７などを現場で配管工事や配線工事を行って取り付ける必要があり、設置が大変であるとともに、通常の給湯装置では必要ない給湯弁４、排水管５、排水弁６、温度検出部７等の部材を必要とするという課題があった。
【０００７】
また、出湯要求時に湯水の温度が許容範囲外の場合、排水弁６を開き給湯管３内の湯水を排水口から捨てる動作をするため、給湯口２から湯が供給される迄の時間は大幅に改善されることができないという課題を有していた。
【０００８】
本発明は上記した課題を解決するものであり、給湯装置自身の改善により、給湯の開始時に早く湯を供給できる給湯装置を提供するものである。
【０００９】
【課題を解決するための手段】
本願発明は上記した課題を解決するものであり、給水管と給湯管に接続された熱交換器と、前記熱交換器を加熱する加熱手段と、前記加熱手段の加熱量を調節する加熱調節手段と、前記熱交換器の途中の湯の温度を検出する途中温度検出手段と、前記熱交換器の出口の温度を検出する出口温度検出手段と、熱交換器を経た湯の温度を設定する湯温設定手段と、前記熱交換器への水の流動を検出する流動検出手段と、水の流動を前記流動検出手段で検出している時は前記湯温設定手段の温度に従って前記加熱調節手段を制御するとともに、前記流動検出手段で水の流動を検出していない時は前記途中温度検出手段で検出される温度が所定温度以下になったら所定時間前記加熱手段を動作させて前記熱交換器の加熱を行なうタイマー手段とを具備し、前記タイマー手段による前記加熱手段の動作継続時間は、給湯条件、前記熱交換器へ至る給水温度条件によって補正するようにしたもので、再給湯時に端末への湯の供給を早く行えるようにしているものである。
【００１０】
【発明の実施の形態】
本発明の給湯装置は、給水管と給湯管に接続された熱交換器と、前記熱交換器を加熱する加熱手段と、前記加熱手段の加熱量を調節する加熱調節手段と、前記熱交換器の途中の湯の温度を検出する途中温度検出手段と、前記熱交換器の出口の温度を検出する出口温度検出手段と、熱交換器を経た湯の温度を設定する湯温設定手段と、前記熱交換器への水の流動を検出する流動検出手段と、水の流動を前記流動検出手段で検出している時は前記湯温設定手段の温度に従って前記加熱調節手段を制御するとともに、前記流動検出手段で水の流動を検出していない時は前記途中温度検出手段で検出される温度が所定温度以下になったら所定時間前記加熱手段を動作させて前記熱交換器の加熱を行なうタイマー手段とを具備し、前記タイマー手段による前記加熱手段の動作継続時間は、給湯条件、前記熱交換器へ至る給水温度条件によって補正するようにしたもので、再給湯時に端末への湯の供給を早く行えるようにしているものである。
【００１１】
給湯条件は、給湯条件は、前回の給湯温度、リモコンによる設定温度の少なくとも一つの温度であり、これにより実使用に適合した給湯が可能となる。
【００１２】
また、万が一のタイマー手段の故障時や異常燃焼時に加熱を強制的に停止すべく、途中温度検出手段で検出される温度が不安全温度として予め設定した上限温度に達したら加熱手段による熱交換器の加熱を強制的に停止するようにした。
【００１３】
さらに、制御系の故障時や異常燃焼の発生に対応して、途中温度検出手段で検出される温度変化が不安全温度勾配として予め設定した勾配を越えたら加熱手段による熱交換器の加熱を強制的に停止するようにした。
【００１４】
途中温度検出手段は、加熱手段近傍の熱交換器のパイプに取り付けるのが望ましい。つまり、水の非流動時における加熱時に、一番温度上昇が速い加熱手段近傍の熱交換器のパイプの温度を検出することにより、いち早く温度上昇を検出し、安全性を確保し、正確な制御を実現できる。
【００１５】
（実施例）
以下、本発明の実施例を図面に基づいて説明する。
【００１６】
図１は本発明の一実施例における給湯装置を示す図である。
【００１７】
図１において、熱交換器１０には、給水管１１と給湯管１２が接続されている。
【００１８】
給水管１１には、熱交換器１０への水の流入を検出する流動検出手段である水量検出器１３、水温を検出する水温検出器１４が設けられている。熱交換器１０の途中のパイプには、途中温度を検出する熱交温度検出器１５が設けられている。
【００１９】
また、熱交換器１０を迂回し給水管１１と給湯管１２を連絡するバイパス管１６が設けられ、このバイパス管１６には、熱交換器１０からの湯とバイパス管１６からの水の混合比を調節する水比例弁１７が設けられている。この水比例弁１７は、ソレノイドへの電流の調節によって水圧に対してバランスを取った弁が、バイパス管１６の開度を調節し通過する水量を調節するもので、電流の停止により全開状態で保持されるノーマルオープン型となっている。熱交換器１０の近傍の給湯管１２には出口温度検出手段として湯温検出器１８が設けられ、また、バイパス管１６の合流点以降に水量制御弁１９、混合水温検出器２０が設けられている。
【００２０】
給湯管１２は更に給湯装置本体２１外の給湯配管２２に接続され、端末に設けた湯水混合栓２３、２４に連通している。端末側には給湯装置本体２１のリモコン２５が設けられている。このリモコン２５はワイヤレス型であり、電源スイッチ２６や給湯装置本体２１から出湯される給湯温度のアップスイッチ２７、ダウンスイッチ２８、表示部２９の他、湯水混合栓２３や２４が使用されていない時に、使用されて熱交換器１０に水が流れている状態と異なった条件での制御を選択する加熱スイッチ３０が選択手段として設けられている。
【００２１】
本体側の制御器３１にはタイマー手段であるタイマー３２を有しており、商用電源からの電力が供給され受信器３３で受けたリモコン２５の信号や各種センサーの信号が取り込まれ、また各種アクチュエータへの信号や操作出力が出力されている。そして、制御器３１にはボリュームで構成された湯温設定手段である湯温設定器３４や停止時制御部３５が設けられている。
【００２２】
熱交換器１０は、加熱手段であるガスバーナ３６で加熱され、このガスバーナ３６へのガス量を調節する加熱調節手段の一部としてガス比例弁３７が設けられている。また、ガスのオン、オフは加熱調節手段の一部を構成する元電磁弁３８により行われ、また燃焼前後や燃焼中においては送風ファン３９から風が送られる。
【００２３】
なお、熱交換器１０の途中のパイプに設けた熱交温度検出器１５は、水の流動の停止中に温度が他の部位より上がりやすい、ガスバーナ３６の直上の熱交換器１０部分の外部に臨んだパイプに取り付けられている。
【００２４】
次にこの実施例の動作を説明する。
【００２５】
動作については、図２のフローチャートにその要部を示している。
【００２６】
リモコン２５の電源スイッチ２６がオン操作され〈Ｓ１〉、かつ加熱スイッチ３０がオン操作されていると〈Ｓ２〉、給湯の停止時において熱交換器１０を加熱できるモードに入る。水量検出器１３で検出される水の流量が所定値（例えば２l／min）を越えると、端末の湯水混合栓が開けられたと判断して通常の給湯モードに入り〈Ｓ３〉、リモコン２５のアップスイッチ２７、ダウンスイッチ２８等を操作して設定された温度の湯を供給するべく、混合水温検出器２０で検出される混合水温度と設定温度が比較される。
【００２７】
また、湯温検出器１８で検出される出湯温度と湯温設定器３４の温度が比較され、水温検出器１４の水温と水量検出器１３の値が取り込まれ、水比例弁１７と水量制御弁１９、ガス比例弁３７が調節されて、所望の温度の湯が給湯配管２２から供給される〈Ｓ４〉。
【００２８】
水量検出器１３で検出される水の流量が所定値（例えば２l／min）以下の場合、あるいは給湯の停止時においては〈Ｓ３〉、給湯停止時の熱交換器１０への加熱モードが可能となる。湯温検出器１８で検出される温度が所定温度として定めた下限値を下回り〈Ｓ５〉、熱交温度検出器１５で検出される温度が所定温度として定めた下限値を下回ると〈Ｓ６〉、給湯装置全体が冷えていると停止時制御部３５が判断して流動停止時に於ける加熱モードを進める。
【００２９】
湯温検出器１８と比較される下限値は、湯温設定器３４の設定値から１０℃を引いた値に設定されている。湯温検出器１８で検出される温度がこの下限値以下であると、流動停止時に於ける加熱モードの次のステップに進む〈Ｓ５〉。また、熱交温度検出器１５と比較される下限値も、湯温設定器３４で設定された温度から１０℃を引いた値に設定されている。熱交温度検出器１５で検出される温度がこの下限値以下であると、加熱モードの次のステップに進む〈Ｓ６〉。
【００３０】
なお、下限値の設定は一例であり、他の方法としては湯温設定器３４の設定に関係付けない方法や、固定値を用いる方法、また湯温設定器３４と熱交温度検出器１５で検出される下限値を異ならせる等各種の方法がある。
【００３１】
湯温検出器１８、熱交温度検出器１５で検出される温度が下限値をいずれも下回ったら、まず、タイマー３２の設定された加熱時間を読み込む〈Ｓ７〉。次に給湯条件を読み込む〈Ｓ８〉。
【００３２】
この給湯条件とは、前回給湯を行った時のメモリーされた混合水温度、あるいはリモコン２５の設定温度、その後変更があった場合は現在の設定温度である。これは、前回給湯を行った時の混合水の温度、設定温度、変更温度を判断し、加熱を開始する温度を補正するためである。混合水温度あるいは過去あるいは現在の設定温度が高い場合は高目に、低い場合は低目になるように熱交換器１０を加熱開始する温度を補正する。そして、再出湯時に給湯管１２を経て極力、リモコン２５で設定された設定温度に近い温度の湯を供給することに役立てている。
【００３３】
また、前回給湯を行った時のメモリーされた水温検出器１４で検出された水温と現在の水温を読み込む〈Ｓ９〉。これは、給水温度が何度であるかを判断し加熱時間や加熱開始温度を補正するためであり、水温が高い場合は時間は短目に温度は低目に、水温が低い場合は時間は長目に温度は高目になるように熱交換器１０を加熱する時間を補正する〈Ｓ１０〉。そして、再出湯時に給湯管１２を経て極力、リモコン２５の設定温度に近い温度の湯を供給することに役立てている。
【００３４】
次に、送風ファン３９を回転させ残っているガスの排出を行い〈Ｓ１１〉、元電磁弁３８を開け〈Ｓ１２〉、同時にタイマー３２が計時を開始し〈Ｓ１３〉、ガス比例弁３７の開度を点火し易い開度１の状態にまで開けて点火を行う〈Ｓ１４〉。この開度１の状態は、通常の給湯を行っている時のガス比例弁３７の全開開度に比べ小さく設定されており、水の流動が停止している状態で過度に熱交換器１０を加熱してしまわないように、一方でガスバーナ３６に確実に着火するような開度に設定されている。
【００３５】
次に、着火確認しガス比例弁３７の開度を開度２の状態にまで絞る〈Ｓ１５〉。この開度は、通常の給湯が行われている状態での最小の開度に相当しており、この最小開度で加熱しても負荷が小さいため、熱交換器１０の温度は、次第に上昇して行く。
【００３６】
なお、給湯装置として最少加熱量が極めて低く取れる場合は、熱交温度検出器１５で検出される温度を一定に保つ方法も可能である。
【００３７】
熱交換器１０の加熱中に熱交温度検出器１５で検出される温度が異常な変化勾配を示す時は、熱交換器１０へのエア噛み、あるいは加熱異常と判断して加熱を停止する〈Ｓ１６〉。この後の制御は、湯温検出器１８の温度を例として図３に示すようにようになっている。出湯温度は湯温設定器３４で６０℃（＝ＴO）に設定されているものとする。
【００３８】
従って加熱の開始を判断する所定値である下限値は、Ｔ1＝６０℃−１０℃＝５０℃である。そして上限値Ｔ2＝６０℃＋１０℃＝７０℃に定めている。加熱時間は標準状態（水温１５℃、混合水温４０℃）で５秒間となっており、前述のように、水温とリモコン２５の設定温度に応じて補正がされている。
【００３９】
タイマー３２が所定時間（５秒または５秒の補正値）を越えたら、タイムアップと見なし、停止動作に入る〈Ｓ１７〉。万が一、タイマー３２が故障したり、ガスバーナ３６の能力制御が故障して、湯温検出器１８で検出される温度が上限値（７０℃）を越えた場合は、直ちに温度優先で元電磁弁３８を閉成する停止動作に入る〈Ｓ１８〉。また、熱交温度検出器１５で検出される温度が上限値（７０℃）を越えた場合も、直ちに温度優先で元電磁弁３８を閉成する停止動作に入る〈Ｓ１９〉。
【００４０】
加熱の停止に当たっては、元電磁弁３８が閉じられ〈Ｓ２０〉、さらに送風ファン３９が所定時間回転して排気ガスを完全に排出し、そして停止される〈Ｓ２１〉。また、水比例弁１７は所定時間バイパス経路を絞った後、全開にされる〈Ｓ２２〉。これは、まだ熱交換器１０内の温度が高い場合は、本来水が満たされているべきバイパス管１６に湯が回ることを防止し、再給湯時のオーバーシュートを低減するとともに、ある程度冷えて来たら、自然循環によってバイパス管１６も暖め、再給湯時の立ち上がりを早めるためである。
【００４１】
なお、ノーマルオープン型の水比例弁１７が全開となっていることにより、万が一故障により、熱交換器１０内に高温の湯が溜まっていても、再給湯時に水の割合が大きくなるため安全である。
【００４２】
所定時間加熱した後の給湯停止後は、図３に示すように、後沸きにより湯温検出器１８周辺の温度は若干上昇する。また、熱交温度検出器１５周辺の温度はもっと上昇し、停止前と停止後の両者の温度の上下関係は逆転する。
【００４３】
以後、加熱の停止した後は、湯温検出器１８、熱交温度検出器１５で検出される温度が所定温度である下限値以下になる迄は燃焼は停止している。
【００４４】
以上のような動作により、一般の家庭用の給湯装置を想定すると、従来の給湯装置では配管長が５ｍ程度のシステムで、端末の蛇口をひねってから約１５秒位かかって湯が供給されることが普通であったものが、５秒程度に短縮可能である。
【００４５】
従来の給湯装置は、保有水量等に起因する給湯装置自身の立ち上がりの時間が１０秒程度、また配管の保有水量を押し出す時間が５秒程度かかっていたが、給湯装置自身の立ち上がりの時間が短縮できるため、配管の滞留水の押し出し時間だけで済む結果となる。
【００４６】
また、この実施例においては、タイマー３２により加熱を調節することにより、温度により加熱を調節する方式と比較して、熱容量を有する熱交換器１０の温度上昇遅れに対応でき、過剰加熱を防止することができる。
【００４７】
また、加熱時間を水温検出器１４で検出される給水温度に関連させて調節することにより、季節によって変わる給水温度に応じて加熱時間を調節でき、給湯開始時の湯温変動の低減と加熱回数の適正化が図れ、また給湯温度の立ち上がりを早くできる。
【００４８】
また、湯温検出器１８や熱交温度検出器１５で検出される温度が不安全温度として設定した上限温度に達したら、加熱手段による熱交換器の加熱を強制的に停止させることにより、万が一のタイマー３２の故障時や異常燃焼時に加熱を強制的に停止し、事故を未然に防ぐことができる。
【００４９】
また、停止時制御部３５で、水の流動していない時の最大加熱能力を水の流動時の最大加熱能力よりも低く押さえることにより、負荷が小さく、かつ温度検出手段への温度伝達も遅くなる水の流動していない時の加熱量を低く押さえ、熱交換器１０の局部の異常な加熱や温度オーバーシュートを防止し、制御の容易化と安全化が図れる。
【００５０】
また、ガスバーナ３６で、水の流動していない時の加熱手段の加熱開始時燃焼量を水の流動時の加熱開始時燃焼量と略同一にすることにより、水の流動停止時においても火移りを容易とし確実な点火を実現できる。また、加熱スイッチ３０により、水の流動していない時のガスバーナ３６による加熱を選択できるため、水の非流動時に於ける熱交換器の加熱を必要な時のみ使用者が選択できるようになり、エネルギー消費の低減と、非常時に加熱スイッチ３０」をオフにすることにより、直ちにガスバーナ３６の燃焼停止を行うことができる。
【００５１】
上記実施例では加熱手段として、ガスバーナ３６による加熱を例にとったが、石油バーナや電気的に加熱する他の手段であってもよい。
【００５２】
また、加熱調節手段としてガス比例弁３７と元電磁弁３８を例にとったが、これら以外のガス量調節手段であったり、各加熱手段に対応した各種の加熱調節手段であってもよい。
【００５３】
また、熱交換器の出口の温度を出口温度検出手段としては、湯温検出器１８を例に取ったが、混合水温検出器２０を用いてもよく、また湯温を直接検出しても、配管や熱交換器の外側の温度を検出してもよい。
【００５４】
また、給湯の停止時に加熱を開始する温度の検出は、上記実施例では熱交温度検出器１５と湯温検出器１８に従い、すなわち途中温度検出手段と出口温度検出手段に従って行っていたが、途中温度検出手段のみに従って行ってもよい。
【００５５】
また、湯温設定手段としては、制御器３１に設けたボリュームで出湯温度が調節できる湯温設定器３４を例にとったが、制御器３１のマイコンに予め設定温度が書き込んであったり、リモコン２５で温度設定ができるものであってもよい。
【００５６】
また、流動検出手段は、水流を直接検出する水量検出器１３を例にとったが、給湯の開始、停止の操作スイッチと連動する間接的なものや、直接的なものと間接的なものの複合する形式であってもよい。
【００５７】
また、タイマー手段としてはタイマー３２を例にとったが、タイマー機能は制御器のマイコン部でもよく、また別回路として設けてもよい。
【００５８】
なお、上記実施例ではバイパス管１６を有し、熱交換器１０から供給される湯とバイパス管１６からの水を水比例弁１７で調節してリモコン２５で設定した温度の湯を得る給湯装置を例にとったが、バイパス管や水比例弁を有しない給湯装置であってもよい。この場合、湯温設定手段の設定値は、リモコン２５で設定される給湯温度の設定値に一致してくる。
【００５９】
上記実施例の技術的意義を総括すれば以下次の通りである。
【００６０】
（１）給湯の停止時に熱交換器への水の流動が停止していることを流動検出手段で検出して、途中温度検出手段で検出される温度が所定温度以下に下がったら加熱手段による熱交換器の加熱を開始し、タイマー手段の設定された時間に達したら加熱を停止することにより、給湯の停止時に熱交換器が冷却されることを防止し、再給湯時に熱交換器内の保有水を加熱する時間を節約して、給湯装置本体だけで給湯時の端末における湯の供給を早く行えるようにするとともに、予め設定した時間あるいは温度に達したら加熱を停止することにより、過剰加熱を防止することができる。また、水の流動停止時に出口側よりも温度が上昇しやすい熱交換器途中の温度に従って制御を行うことにより、局部沸騰や異常加熱が防止できる。
【００６１】
（２）タイマー手段により加熱開始後予め設定した時間に達したら加熱を停止することにより、熱容量を有する熱交換器の温度上昇遅れに対応し、異常加熱を防止することができる。
【００６２】
（３）途中温度検出器で検出される温度が不安全温度として設定した上限温度に達したら加熱手段による熱交換器の加熱を強制的に停止させることにより、万が一のタイマー手段の故障時や異常燃焼時に加熱を強制的に停止し、事故を未然に防ぐことができる。
【００６３】
（４）途中温度検出器で検出される温度変化が不安全温度勾配として設定した上限温度に達したら加熱手段による熱交換器の加熱を強制的に停止させることにより、万が一のタイマー手段の故障時や異常燃焼時に加熱を強制的に停止し、事故を未然に防ぐことができる。
【００６４】
（５）途中温度検出器を加熱手段近傍の熱交換器のパイプに取りつけることにより、水の流動停止時において加熱がなされてた場合、温度上昇を早く検出できるため、局部沸騰や異常加熱が防止できる。
【００６５】
（６）途中温度検出手段で検出される温度と出口温度検出手段で検出される温度に基づいて状態を判定することにより、加熱時間の補正が的確にできるとともに、片方の温度検出手段が故障しても、もう一方で補完ができる。
【００６６】
【発明の効果】
以上説明した給湯装置によれば、給湯の停止時に熱交換器が冷却されることを防止し、再給湯時に熱交換器内の保有水を加熱する時間を節約して給湯時の端末における湯の供給を早く行え、使い勝手を大いに向上できるものである。
【図面の簡単な説明】
【図１】  本発明の一実施例における給湯装置を示す図
【図２】  同給湯装置の要部動作のフローチャート
【図３】  同給湯装置の要部動作を示す図
【図４】  従来の給湯装置を示す図
【符号の説明】
１０  熱交換器
１１  給水管
１２  給湯管
１３  水量検出器（流動検出手段）
１４  水温検出器（給水温度検出手段）
１５  熱交温度検出器（途中温度検出器）
１８  湯温検出器（出口温度検出手段）
３２  タイマー（タイマー手段）
３４  湯温設定器（湯温設定手段）
３５  停止時制御部
３６  ガスバーナ（加熱手段）
３７  ガス比例弁（加熱調節手段）
３８  元電磁弁（加熱調節手段）
【図１】
0003855328.tif 000002
【図２】
0003855328.tif 000003
【図３】
0003855328.tif 000004
【図４】
0003855328.tif 000005